(57)【要約】【課題】吊戸棚の底板の前寄り位置や後寄り位置に障害物がある場合にも吊戸棚の底板のほぼ全体を覆うように取り付け可能な照明装置。【解決手段】吊戸棚（８，９）の底板（８ａ，９ａ）のほぼ全体を覆うように取り付けられる照明装置（１０）。吊戸棚の奥行き寸法よりも小さい奥行き寸法を有する照明装置本体（１１）と、照明装置の奥行き寸法を調整するための調整部材（１２）とを備えている。調整部材は、照明装置本体に対して格納可能に構成されている。照明装置本体の奥行き方向に沿ったほぼ中央位置に光源（１１ｄ）が取り付けられている。【選択図】  図３
2004173861.tif 000002
【特許請求の範囲】
【請求項１】
吊戸棚の底板のほぼ全体を覆うように取り付けられる照明装置であって、
前記吊戸棚の奥行き寸法よりも小さい奥行き寸法を有する照明装置本体と、
前記照明装置の奥行き寸法を調整するための調整部材とを備えていることを特徴とする照明装置。
【請求項２】
前記調整部材は、前記照明装置本体に対して格納可能に構成されていることを特徴とする請求項１に記載の照明装置。
【請求項３】
前記照明装置本体の奥行き方向に沿ったほぼ中央位置に光源が取り付けられていることを特徴とする請求項１または２に記載の照明装置。
【請求項４】
吊戸棚を有するシステムキッチンにおいて、
請求項１乃至３のいずれか１項に記載の照明装置が前記吊戸棚の底板のほぼ全体を覆うように取り付けられていることを特徴とするシステムキッチン。
【発明の詳細な説明】
【０００１】
【発明の属する技術分野】
本発明は、照明装置およびシステムキッチンに関し、特にシステムキッチンの吊戸棚の底板に取り付けられる照明装置に関するものである。
【０００２】
【従来の技術】
従来のシステムキッチンでは、吊戸棚の底板に奥行き寸法の短い照明装置が設置されていた。この場合、吊戸棚と照明装置との一体感がないだけでなく、吊戸棚の底板と照明装置との段差が生じるため清掃が困難であった。
【０００３】
また、照明装置が吊戸棚の底板の後寄り位置に設置されることが多く、前方向きの採光に配慮しているので、ワークトップが均一に照明されなかった。そこで、たとえば特開平１１−２３２９２３号公報には、吊戸棚の底板の全体を覆うように取り付けられる照明装置が提案されている。
【０００４】
【特許文献１】
特開平１１−２３２９２３号公報
【０００５】
【発明が解決しようとする課題】
しかしながら、同公報に開示された照明装置では、吊戸棚の底板の全体を覆うように構成され、その奥行き寸法の調整ができない。このため、たとえば引き戸タイプのように底板の前寄り位置にレールが突出している場合、この障害物により照明装置を設置することができないという不都合があった。
【０００６】
また、底板の後寄り位置に窓枠や対面キッチンの額縁が突出している場合にも、これらの障害物により照明装置を設置することができないという不都合があった。さらに、同公報に開示された従来技術においても、吊戸棚の底板の後寄り位置に照明装置が設置されているので、ワークトップが均一に照明されないという不都合があった。
【０００７】
本発明は、前述の課題に鑑みてなされたものであり、吊戸棚の底板の前寄り位置や後寄り位置に障害物がある場合にも吊戸棚の底板のほぼ全体を覆うように取り付け可能な照明装置、および該照明装置を備えたシステムキッチンを提供することを目的とする。
【０００８】
【課題を解決するための手段】
前記課題を解決するために、本発明の第１形態では、吊戸棚の底板のほぼ全体を覆うように取り付けられる照明装置であって、
前記吊戸棚の奥行き寸法よりも小さい奥行き寸法を有する照明装置本体と、
前記照明装置の奥行き寸法を調整するための調整部材とを備えていることを特徴とする照明装置を提供する。
【０００９】
第１形態の好ましい態様によれば、前記調整部材は、前記照明装置本体に対して格納可能に構成されている。また、前記照明装置本体の奥行き方向に沿ったほぼ中央位置に光源が取り付けられていることが好ましい。
【００１０】
本発明の第２形態では、吊戸棚を有するシステムキッチンにおいて、
第１形態の照明装置が前記吊戸棚の底板のほぼ全体を覆うように取り付けられていることを特徴とするシステムキッチンを提供する。
【００１１】
【発明の実施の形態】
本発明の照明装置では、吊戸棚の奥行き寸法よりも小さい奥行き寸法を有する照明装置本体と、照明装置の奥行き寸法を調整するための調整部材とを備えている。したがって、調整部材の奥行き寸法調整作用により、吊戸棚の底板の前寄り位置や後寄り位置に障害物がある場合にも、吊戸棚の底板のほぼ全体を覆うように照明装置を取り付けることができる。
【００１２】
その結果、吊戸棚と照明装置との一体感を実現することができるとともに、吊戸棚の底板と照明装置との段差が実質的に生じないため清掃性が向上する。なお、本発明では、調整部材を照明装置本体に対して格納可能に構成することにより、様々な種類の吊戸棚に対する照明装置の取り付け調整が可能になる。
【００１３】
また、本発明では、照明装置本体の奥行き方向に沿ったほぼ中央位置に光源を取り付けることにより、たとえばシステムキッチンにおいてワークトップを均一に照明することができ、ひいては調理作業性などを向上させることができる。さらに、たとえば吊戸棚と照明装置との一体感に基づく美観および調理作業に起因する汚れの良好な清掃性が求められるシステムキッチンに対して本発明の照明装置を適用するのが特に有利である。
【００１４】
本発明の実施形態を、添付図面に基づいて説明する。
図１は、本発明の実施形態にかかるシステムキッチンの全体構成を概略的に示す図である。また、図２は、本実施形態にかかるシステムキッチンのレンジおよびシンクを含むカウンター面の平面図である。
【００１５】
図１および図２を参照すると、本実施形態のシステムキッチンＳは、床の上に載置されたベースキャビネット１を備えている。ベースキャビネット１の上部には、システムキッチンＳに向かって右側にレンジ（電気コンロまたはガスコンロ）２が、左側にシンク３が設けられている。シンク３は、通常の深さを有する第１シンク３ａと、比較的浅い第２シンク３ｂとから構成されている。
【００１６】
また、レンジ２およびシンク３の後方には、システムキッチンＳのほぼ全幅に亘って、バックガード４が設けられている。そして、バックガード４には、シンク３に隣接して、湯水混合型の水栓５および洗剤ボックス６が設けられている。さらに、レンジ２の上方にはレンジフード７が設けられ、シンク３の上方には一対の吊戸棚（ウォールキャビネット）８および９が設けられている。
【００１７】
図３は、本発明の実施形態にかかる照明装置の構成を概略的に示す断面図である。また、図４は、吊戸棚の底板の後寄り位置にある障害物を避けて本実施形態の照明装置を設置した状態を示す図である。さらに、図５は、吊戸棚の底板の前寄り位置にある障害物を避けて本実施形態の照明装置を設置した状態を示す図である。図３を参照すると、本実施形態にかかる照明装置１０が、一対の吊戸棚８および９の底板８ａおよび９ａの全体を覆うように取り付けられている。
【００１８】
なお、一対の吊戸棚８および９は、壁面Ｗに対して背板８ｂおよび９ｂが接するように設置されている。照明装置１０は、吊戸棚８および９の奥行き寸法よりも小さい奥行き寸法を有する照明装置本体１１と、照明装置１０の奥行き寸法を調整するための照明装置本体１１とにより構成されている。調整部材１２は、たとえば樹脂押出材またはアルミニウム押出材からなり、入れ子方式に似た形態で照明装置本体１１に対して格納可能に構成されている。
【００１９】
照明装置本体１１は、たとえばアルミニウム押出材からなる枠部材１１ａと、枠部材１１ａに対して例えばビスにより取り付けられた横架部材１１ｂと、傘状の形態を有する反射板１１ｃと、図中破線の円形で示す蛍光灯１１ｄを装着するためのソケット部材１１ｅと、反射板１１ｃに対応する照明光射出領域を覆うためのカバー部材１１ｆとにより構成されている。なお、図３〜図５では、図面の明瞭化のためにビスの図示を省略している。
【００２０】
以下、図３〜図５を参照して、本実施形態の照明装置１０を取り付ける手順を簡単に説明する。まず、図３を参照すると、吊戸棚８および９の底板８ａおよび９ａの前寄り位置や後寄り位置に障害物が全くない場合には、底板８ａおよび９ａの後寄りの所定位置に、すなわち壁面Ｗに接するように、たとえばビスを介して調整部材１２を取り付ける。次いで、予め横架部材１１ｂが取り付けられた枠部材１１ａを、調整部材１２を僅かに格納するように、底板８ａおよび９ａの所定位置に、すなわち枠部材１１ａの前方面と底板８ａおよび９ａの前方面とがほぼ一致するように、たとえばビスを介して取り付ける。
【００２１】
さらに、たとえばビスを用いて、反射板１１ｃおよびソケット部材１１ｅを、横架部材１１ｂを介して底板８ａおよび９ａの所定位置に、すなわち照明装置本体１１の奥行き方向に沿ったほぼ中央位置に取り付ける。最後に、ソケット部材１１ｅに蛍光灯１１ｄを装着した後に、たとえば嵌合方式によりカバー部材１１ｆを枠部材１１ａに取り付ける。こうして、底板８ａおよび９ａの前寄り位置や後寄り位置に障害物が全くない場合、図３に示すように、本実施形態の照明装置１０が底板８ａおよび９ａの全体を覆うように取り付けられる。
【００２２】
一方、図４を参照すると、底板８ａおよび９ａの後寄り位置に、たとえば窓枠や額縁のような障害物ＷＦが突出している場合には、障害物を避けるために調整部材１２の後方面を壁面Ｗから所定距離だけ退避させて底板８ａおよび９ａに取り付け、枠部材１１ａの前方面と底板８ａおよび９ａの前方面とほぼ一致させて、調整部材１２の大部分を格納するように枠部材１１ａを底板８ａおよび９ａに取り付ける。こうして、底板８ａおよび９ａの後寄り位置に障害物がある場合にも、図４に示すように、底板８ａおよび９ａのほぼ全体を覆うように本実施形態の照明装置１０を取り付けることができる。
【００２３】
同様に、図５を参照すると、底板８ａおよび９ａの前寄り位置に、たとえばレールのような障害物（不図示）が突出している場合には、壁面Ｗに接するように調整部材１２を底板８ａおよび９ａに取り付け、障害物を避けるために枠部材１１ａの前方面を底板８ａおよび９ａの前方面から所定距離だけ退避させて、調整部材１２の大部分を格納するように枠部材１１ａを底板８ａおよび９ａに取り付ける。こうして、底板８ａおよび９ａの前寄り位置に障害物がある場合にも、図５に示すように、底板８ａおよび９ａのほぼ全体を覆うように本実施形態の照明装置１０を取り付けることができる。
【００２４】
以上のように、本実施形態の照明装置１０では、吊戸棚８および９の奥行き寸法よりも小さい奥行き寸法を有する照明装置本体１１と、照明装置１０の奥行き寸法を調整するための調整部材１２とにより構成されているので、調整部材１２の奥行き寸法調整作用により、吊戸棚８および９の底板８ａおよび９ａの前寄り位置や後寄り位置に障害物がある場合にも、吊戸棚８および９の底板８ａおよび９ａのほぼ全体を覆うように照明装置１０を取り付けることができる。
【００２５】
その結果、本実施形態では、吊戸棚８および９と照明装置１０との一体感を実現することができるとともに、吊戸棚８および９の底板８ａおよび９ａと照明装置１０との段差が実質的に生じないため清掃性が向上する。また、本実施形態では、調整部材１２を照明装置本体１１に対して格納可能に構成されているので、様々な種類の吊戸棚に対する照明装置１０の取り付け調整が可能になる。
【００２６】
また、本実施形態では、照明装置本体１１の奥行き方向に沿ったほぼ中央位置に光源としての蛍光灯１１ｄが取り付けられているので、システムキッチンＳのワークトップを均一に照明することができ、ひいては調理作業性などを向上させることができる。
【００２７】
なお、上述の実施形態では、底板８ａおよび９ａの前寄り位置または後寄り位置に障害物がある場合について説明しているが、これに限定されることなく、底板８ａおよび９ａの前寄り位置および後寄り位置の双方に障害物がある場合についても同様に本発明を適用することができることは明白である。
【００２８】
また、上述の実施形態では、システムキッチンの吊戸棚に対して本発明を適用しているが、これに限定されることなく、一般の吊戸棚に対して本発明を適用することもできる。
【００２９】
【発明の効果】
以上説明したように、本発明の照明装置では、吊戸棚の奥行き寸法よりも小さい奥行き寸法を有する照明装置本体と、照明装置の奥行き寸法を調整するための調整部材とを備えているので、調整部材の奥行き寸法調整作用により、吊戸棚の底板の前寄り位置や後寄り位置に障害物がある場合にも、吊戸棚の底板のほぼ全体を覆うように照明装置を取り付けることができる。こうして、本発明では、吊戸棚と照明装置との一体感を実現することができるとともに、吊戸棚の底板と照明装置との段差が実質的に生じないため清掃性が向上する。
【００３０】
また、本発明では、調整部材を照明装置本体に対して格納可能に構成することにより、様々な種類の吊戸棚に対する照明装置の取り付け調整が可能になる。さらに、本発明では、照明装置本体の奥行き方向に沿ったほぼ中央位置に光源を取り付けることにより、たとえばシステムキッチンにおいてワークトップを均一に照明することができ、ひいては調理作業性などを向上させることができる。
【図面の簡単な説明】
【図１】本発明の実施形態にかかるシステムキッチンの全体構成を概略的に示す図である。
【図２】本実施形態にかかるシステムキッチンのレンジおよびシンクを含むカウンター面の平面図である。
【図３】本発明の実施形態にかかる照明装置の構成を概略的に示す断面図である。
【図４】吊戸棚の底板の後寄り位置にある障害物を避けて本実施形態の照明装置を設置した状態を示す図である。
【図５】吊戸棚の底板の前寄り位置にある障害物を避けて本実施形態の照明装置を設置した状態を示す図である。
【符号の説明】
Ｓ  システムキッチン
１  ベースキャビネット
２  レンジ
３  シンク
８，９  吊戸棚（ウォールキャビネット）
１０  照明装置
１１  照明装置本体
１１ａ  枠部材
１１ｂ  横架部材
１１ｃ  反射板
１１ｄ  蛍光灯
１１ｅ  ソケット部材
１１ｆ  カバー部材
１２  調整部材
【図１】
2004173861.tif 000003
【図２】
2004173861.tif 000004
【図３】
2004173861.tif 000005
【図４】
2004173861.tif 000006
【図５】
2004173861.tif 000007